(57)【特許請求の範囲】
【請求項１】
カラー画像を生成するための、波長の異なる複数の照明光を順次に切り替えて被写体に対して照射する照明部と、
前記照明部からの照明光の前記被写体からの戻り光を、前記照明光の切り替えと同期して撮像し、前記照明光毎に前記被写体に係る画像信号を生成する撮像部と、
画像を表示する表示部において表示される表示画像の更新期間内に前記複数の照明光を前記被写体に照射する場合に、第１の更新期間内に第１の照射順序で前記複数の照明光を照射し、第２の更新期間内に前記第１の照射順序とは異なる第２の照射順序で前記複数の照明光を照射するように前記照明部を制御する制御部と、
前記制御部によって照射順序が制御された前記複数の照明光の前記被写体からの戻り光を撮像することによって得られた前記照明光毎の画像信号から、前記被写体のカラー画像データを生成する画像処理部と、
を具備する撮像装置。
【請求項２】
前記画像処理部は、前記第１の更新期間内に前記撮像部で撮像された前記照明光毎の画像信号から１フレームのカラー画像データを生成し、さらに、前記第２の更新期間内に前記撮像部で撮像された前記照明光毎の画像信号から１フレームのカラー画像データを生成することを特徴とする請求項１に記載の撮像装置。
【請求項３】
前記撮像部を構成する撮像素子はカラーフィルタを有しておらず、該撮像素子は、前記照明光の波長によらずに前記戻り光の光の量に応じた画像信号を生成することを特徴とする請求項１に記載の撮像装置。
【請求項４】
前記照明部は、前記カラー画像を生成するための前記複数の照明光として、赤色波長帯の照明光と、緑色波長帯の照明光と、青色波長帯の照明光とを順次に切り替えて被写体に対して照射し、
前記画像処理部は、前記赤色波長帯の照明光の照射によって得られた画像信号と、前記緑色波長帯の照明光の照射によって得られた画像信号と、前記青色波長帯の照明光の照射によって得られた画像信号とから、前記被写体のカラー画像データを生成することを特徴とする請求項１に記載の撮像装置。
【請求項５】
前記照明部は、前記カラー画像を生成するための前記複数の照明光として、所定の波長にピークを有する第１のスペクトル光と、前記第１のスペクトル光とは異なる波長にピークを有する第２のスペクトル光とを順次に切り替えて被写体に対して照射し、
前記画像処理部は、前記第１のスペクトル光の照射によって得られた画像信号と、前記第２のスペクトル光の照射によって得られた画像信号とから、前記被写体のカラー画像データを生成することを特徴とする請求項１に記載の撮像装置。
【請求項６】
前記制御部は、前記撮像部の撮像フレームレートを設定する撮像フレームレート設定部を有し、前記照明光の照射タイミングを前記撮像フレームレート設定部で設定された撮像フレームレートと同期するように制御する請求項１に記載の撮像装置。
【請求項７】
前記撮像フレームレートは、前記更新期間に対応した前記表示部の表示フレームレートの２倍又は３倍である請求項６に記載の撮像装置。
【請求項８】
前記照明部から複数の前記照明光を順次に切り替えて被写体に照射することで前記被写体に白色光を照射する白色光モードと、前記照明部から複数の前記照明光を順次に切り替えて被写体に照射することで前記被写体に特殊光を照射する特殊光モードとを動作モードとして有し、
前記制御部は、前記動作モードに応じて前記更新期間内に照射する前記照明光の照射順序を設定する請求項１に記載の撮像装置。
【請求項９】
被写体に対して照明光を照射する照明部と、前記照明部からの照明光の前記被写体からの戻り光を撮像して前記被写体に係わる画像信号を生成する撮像部と、前記照明部を制御する制御部と、前記撮像部の撮像によって得られた前記画像信号から前記被写体のカラー画像データを生成する画像処理部と、を具備する撮像装置の作動方法であって、
前記照明部が、カラー画像を生成するための、波長の異なる複数の前記照明光を順次に切り替えることと、
前記撮像部が、前記戻り光を、前記照明光の切り替えと同期して撮像し、前記照明光毎に前記被写体に係る前記画像信号を生成することと、
前記制御部が、画像を表示する表示部において表示される表示画像の更新期間内に前記複数の照明光を前記被写体に照射する場合に、第１の更新期間内に第１の照射順序で前記複数の照明光を照射するように、及び、第２の更新期間内に前記第１の照射順序とは異なる第２の照射順序で前記複数の照明光を照射するように前記照明部を制御することと、
前記画像処理部が、前記制御部によって照射順序が制御された前記複数の照明光の前記被写体からの戻り光を撮像することによって得られた前記複数の照明光ごとの画像信号から、前記被写体のカラー画像データを生成することと、
を具備する撮像装置の作動方法。
【発明の詳細な説明】
【技術分野】
【０００１】
本発明は、撮像装置及び撮像装置の作動方法に関する。
【背景技術】
【０００２】
電子内視鏡装置等の撮像装置でカラー画像を得る方式の１つとして、面順次方式が知られている。面順次方式は、複数の波長の異なる照明光を順次に切り替えて被写体に照射しつつ、照明光の照射と同期して被写体を撮像することによってカラー画像を得る方式である。面順次方式を利用した撮像装置として、例えば特許文献１の撮像装置が知られている。
【先行技術文献】
【特許文献】
【０００３】
【特許文献１】特開２０１３−２５５６５５号公報
【発明の概要】
【発明が解決しようとする課題】
【０００４】
面順次方式の撮像装置で被写体の画像を得ようとする場合において、被写体が高速で移動していると、照明光の照射毎の被写体の位置のずれに起因して色ずれが発生する。表示部の表示の更新期間毎に同じ色ずれが発生すると、表示の更新期間毎に表示部に表示される被写体の色には偏りが生じてしまう。
【０００５】
本発明は、前記の事情に鑑みてなされたもので、被写体の色の偏りを抑制可能な撮像装置及び撮像装置の作動方法を提供することを目的とする。
【課題を解決するための手段】
【０００６】
前記の目的を達成するために、本発明の第１の態様の撮像装置は、カラー画像を生成するための、波長の異なる複数の照明光を順次に切り替えて被写体に対して照射する照明部と、前記照明部からの照明光の前記被写体からの戻り光を、前記照明光の切り替えと同期して撮像し、前記照明光毎に前記被写体に係る画像信号を生成する撮像部と、画像を表示する表示部において表示される表示画像の更新期間内に前記複数の照明光を前記被写体に照射する場合に、第１の更新期間内に第１の照射順序で前記複数の照明光を照射し、第２の更新期間内に前記第１の照射順序とは異なる第２の照射順序で前記複数の照明光を照射するように前記照明部を制御する制御部と、前記制御部によって照射順序が制御された前記複数の照明光の前記被写体からの戻り光を撮像することによって得られた前記照明光毎の画像信号から、前記被写体のカラー画像データを生成する画像処理部とを具備する。
【０００７】
前記の目的を達成するために、本発明の第２の態様の撮像装置の作動方法は、被写体に対して照明光を照射する照明部と、前記照明部からの照明光の前記被写体からの戻り光を撮像して前記被写体に係わる画像信号を生成する撮像部と、前記照明部を制御する制御部と、前記撮像部の撮像によって得られた前記画像信号から前記被写体のカラー画像データを生成する画像処理部と、を具備する撮像装置の作動方法であって、前記照明部が、カラー画像を生成するための、波長の異なる複数の前記照明光を順次に切り替えることと、前記撮像部が、前記戻り光を、前記照明光の切り替えと同期して撮像し、前記照明光毎に前記被写体に係る前記画像信号を生成することと、前記制御部が、画像を表示する表示部において表示される表示画像の更新期間内に前記複数の照明光を前記被写体に照射する場合に、第１の更新期間内に第１の照射順序で前記複数の照明光を照射するように、及び、第２の更新期間内に前記第１の照射順序とは異なる第２の照射順序で前記複数の照明光を照射するように前記照明部を制御することと、前記画像処理部が、前記制御部によって照射順序が制御された前記複数の照明光の前記被写体からの戻り光を撮像することによって得られた前記複数の照明光ごとの画像信号から、前記被写体のカラー画像データを生成することとを具備する。
【発明の効果】
【０００８】
本発明によれば、被写体の色の偏りを抑制可能な撮像装置及び撮像装置の作動方法を提供することができる。
【図面の簡単な説明】
【０００９】
【図１】本発明の一実施形態に係る撮像装置の概略的な構成を示すブロック図である。
【図２】色ずれ及び色の偏りについて説明するための図である。
【図３】白色光モードの場合の照明光の照射順序の設定例である。
【図４】特殊光モードの場合の照明光の照射順序の設定例である。
【図５】２重露光特殊光モードの場合の照明光の照射順序の設定例である。
【発明を実施するための形態】
【００１０】
以下、図面を参照して本発明の実施形態を説明する。図１は、本発明の一実施形態に係る撮像装置の概略的な構成を示すブロック図である。撮像装置１は、例えば内視鏡装置に適用される。撮像装置１は、内視鏡装置に限らずに種々の撮像装置に対して適用可能である。
【００１１】
撮像装置１は、撮像部１０２と、照明部１０４と、Ａ／Ｄ変換部１０６と、画像処理部１０８と、表示部１１０とを有している。
【００１２】
撮像部１０２は、照明部１０４の照明光の被写体からの戻り光を撮像し、被写体に係る画像信号を生成する。この撮像部１０２は、結像レンズと、撮像素子とを有している。結像レンズは、被写体からの戻り光を撮像素子の受光面上に入射させるための光学系である。撮像素子は、被写体からの光を受けるための受光面を有している。受光面には、画素が形成されている。各画素は、入射した光の量に応じた電気信号（画像信号）を生成する。なお、本実施形態の例の撮像素子は、カラーフィルタを有していない。したがって、各画素は、照明光の波長によらずに戻り光に応じた電気信号を生成する。
【００１３】
照明部１０４は、波長の異なる照明光を含む複数の照明光を被写体に照射するように構成されている。ここでの波長の異なる複数の照明光とは、例えばカラー画像化のために必要となる照明光である。カラー画像化のために必要な照明光とは、例えばＲ（赤色）波長帯の照明光、Ｇ（緑色）波長帯の照明光、Ｂ（青色）波長帯の照明光である。このような照明部１０４は、例えばＲ波長帯の照明光を発するＬＥＤと、Ｇ波長帯の照明光を発するＬＥＤと、Ｂ波長帯の照明光を発するＬＥＤとを有する。照明部１０４は、３個のＬＥＤによって照明光を照射するものでなくても良い。照明部１０４は、白色光源（例えばランプ）と回転色フィルタによって照明光を照射するものであっても良い。
【００１４】
Ａ／Ｄ変換部１０６は、撮像部１０２で得られた画像信号をデジタル信号である画像データに変換する。
【００１５】
画像処理部１０８は、Ａ／Ｄ変換部１０６で得られた画像データに対して画像処理を施す。この画像処理部１０８は、同時化処理回路、階調補正回路、色補正回路等を有している。同時化処理回路は、Ｒ照明光の照射に伴って撮像部１０２において得られた画像信号に基づくＲ画像データと、Ｇ照明光の照射に伴って撮像部１０２において得られた画像信号に基づくＧ画像データと、Ｂ照明光の照射に伴って撮像部１０２において得られた画像信号に基づくＢ画像データを同時化する。階調補正回路は、画像データに対して階調補正を行う。色補正回路は、画像データに対して色調補正を行う。
【００１６】
表示部１１０は、例えば液晶ディスプレイであって、画像処理部１０８で処理された画像データに基づいて被写体に係る表示画像等の各種の画像を表示する。
【００１７】
制御部１１２は、撮像部１０２の撮像動作と、照明部１０４の照明動作と、Ａ／Ｄ変換部１０６のサンプリング動作と、画像処理部１０８の画像処理と、表示部１１０の表示動作とを同期制御する。この制御部１１２は、フレームレート設定部１１２１を有している。フレームレート設定部１１２１は、撮像部１０２の撮像フレームレートと表示部１１０の表示フレームレートをそれぞれ設定する。撮像部１０２及び表示部１１０は、それぞれ設定されたフレームレートで動作する。
【００１８】
以下、撮像装置１の動作を説明する。まず、制御部１１２は、動作モードに応じて、フレームレート設定部１１２１により、撮像部１０２の撮像フレームレートと表示部１１０の表示フレームレートとを設定する。撮像装置１は、動作モードとして例えば通常白色光モードと３倍白色光モードとを有している。通常白色光モードは、撮像フレームレートと表示フレームレートとを一致させた状態で被写体を白色照明しつつ撮像を行う面順次方式の撮像モードである。３倍白色光モードは、撮像フレームレートを表示フレームレートの３倍にした状態で被写体を白色照明しつつ撮像を行う面順次方式の撮像モードである。通常白色光モードであれば、制御部１１２は、撮像部１０２の撮像フレームレートと表示部１１０の表示フレームレートとを同じにする。例えば、制御部１１２は、撮像部１０２の撮像フレームレートと表示部１１０の表示フレームレートとを６０ｆｐｓにする。また、３倍白色光モードであれば、制御部１１２は、撮像部１０２の撮像フレームレートを表示部１１０の表示フレームレートの３倍にする。例えば、制御部１１２は、撮像部１０２の撮像フレームレートを１８０ｆｐｓに、表示部１１０の表示フレームレートを６０ｆｐｓにする。
【００１９】
なお、撮像装置１は、通常白色光モード及び３倍白色光モード以外の動作モードを有していても良い。他の動作モードであっても、制御部１１２は、その動作モードに対応する撮像フレームレートと表示フレームレートとを撮像部１０２及び表示部１１０に設定する。例えば、更新期間内にｎ個の照明光を順次に照射するｎ倍モードにおける撮像フレームレートは、表示フレームレートに対して概略的に、（撮像フレームレート）＝（表示フレームレート）×ｎに設定される。例えば、２倍モードの場合、表示フレームレートが６０ｆｐｓであれば、撮像フレームレートは、概略６０×２＝１２０ｆｐｓである。
【００２０】
制御部１１２は、表示部１１０の表示画像の更新期間毎の照明光の照射順序を設定する。この設定については、後で詳しく説明する。
【００２１】
制御部１１２は、設定した照射順序に従って照明部１０４から照明光を順次に照射させるとともに、撮像部１０２による撮像を開始させる。撮像部１０２の撮像動作と同期して、照明部１０４からは、制御部１１２で設定された照射順序で照明光が被写体に照射される。これにより、撮像部１０２の撮像素子では、照明光で照明された被写体に係る画像信号が生成される。
【００２２】
撮像部１０２で得られた画像信号は、Ａ／Ｄ変換部１０６においてデジタル信号である画像データに変換される。この画像データは、画像処理部１０８において処理される。画像処理は、例えばＲ画像データと、Ｇ画像データと、Ｂ画像データが揃った時点で行われる。この場合、Ｒ画像データと、Ｇ画像データと、Ｂ画像データから１枚のカラー画像データが生成される。なお、画像処理は、Ｒ画像データと、Ｇ画像データと、Ｂ画像データのそれぞれが得られた時点で行われても良い。この場合、同時化は行われない。
【００２３】
画像処理の後、制御部１１２は、画像処理部１０８で処理された画像データに基づくカラー画像を表示部１１０に表示させる。これにより、表示部１１０において被写体の観察が行われ得る。以上の動作が繰り返されることにより、表示部１１０には、被写体に係る動画像が表示される。
【００２４】
次に、照明光の照射順序の設定について説明する。まず、面順次方式において発生する色ずれと色の偏りについて説明する。図２は、色ずれ及び色の偏りについて説明するための図である。図２は、上から、通常白色光モードにおける照明光のタイミングチャート、３倍白色光モードにおける照明光のタイミングチャート、３倍白色光モードで表示される表示画像のタイミングチャート、被写体の動き、被写体の照明状態を示している。ここで、図２の照明光のタイミングチャートにおける「Ｒ」はＲ照明光であることを示し、「Ｇ」はＧ照明光であることを示し、「Ｂ」はＢ照明光であることを示している。同様に、表示画像のタイミングチャートにおける「Ｒ」はＲ画像であることを示し、「Ｇ」はＧ画像であることを示し、「Ｂ」はＢ画像であることを示している。また、それぞれに付された数字は、何番目の更新期間の照明光又は画像であるかを示している。
【００２５】
通常白色光モードでは、表示部１１０の表示画像の更新期間毎に、Ｒ照明光、Ｇ照明光、Ｂ照明光のうちの１つが被写体に照射される。図２の例では、更新期間０ではＲ照明光が照射され、更新期間１ではＧ照明光が照射され、更新期間２ではＢ照明光が照射され、以下、この順で照明光の照射が繰り返される。
【００２６】
ここで、図２に示すように被写体が等速直線運動をしているとすると、Ｒ画像の取得時とＧ画像の取得時とでは、画像内の被写体の位置は、被写体の進行方向に沿って更新期間に対応した距離分だけずれる。同様に、Ｇ画像の取得時とＢ画像の取得時とでは、画像内の被写体の位置が被写体の進行方向に沿って更新期間に対応した距離分だけずれる。すなわち、Ｇ画像を基準にすると、Ｂ画像データにおける被写体の位置は被写体の進行方向に更新期間に対応した距離分だけＧ画像データにおける被写体の位置からずれ、Ｒ画像データにおける被写体の位置は被写体の進行方向とは逆方向に更新期間に対応した距離分だけＧ画像データにおける被写体の位置からずれる。このため、表示部１１０に動画像として表示される表示画像における被写体は、進行方向側の縁で青みを有し、進行方向と反対側の縁で赤みを有することになる。このような現象を本明細書では「色ずれ」と言う。
【００２７】
前述したように、色ずれは、Ｒ画像データの取得時と、Ｇ画像データの取得時と、Ｂ画像データの取得時との間の被写体の移動によって生じる。したがって、色ずれは、撮像フレームレートを高くすることで抑制される。
【００２８】
３倍白色光モードでは、更新期間内でＲ照明光、Ｇ照明光、Ｂ照明光のそれぞれが順次に被写体に照射される。図２の例では、更新期間０の最初の１／３の期間ではＲ照明光が照射され、２番目の１／３の期間ではＧ照明光が照射され、３番目の１／３の期間ではＢ照明光が照射され、以下、この順で照明光の照射が繰り返される。通常白色光モードの場合と同じ速度で被写体が移動しているとすると、３倍白色光モードの場合の色ずれは、通常白色光モードの場合の色ずれの概略１／３になる。
【００２９】
ここで、図２の例の３倍白色光モードのように、各更新期間で、Ｒ、Ｇ、Ｂの順で照明光を被写体に照射した場合を考える。このとき、全ての更新期間で、被写体は、進行方向側の縁で青みを有し、進行方向と反対側の縁で赤みを有する。このため、表示部１１０に表示される表示画像の被写体の進行方向側の縁においては青い筋が視認され、被写体の進行方向と反対側の縁においては赤い筋が視認される。このような現象を本明細書では「色の偏り」と言う。
【００３０】
色の偏りは、全ての更新期間で同じ色ずれが発生するために生じる。このため、更新期間毎で異なる色ずれが生じていれば、複数の更新期間の平均としては、色の偏りは低減される。したがって、本実施形態では、図３に示すように照明光の照射順序を更新期間毎に異ならせる。図３の例では、更新期間０の最初の１／３の期間ではＲ照明光を照射させ、２番目の１／３の期間ではＧ照明光を照射させ、３番目の１／３の期間ではＢ照明光を照射させる。また、更新期間１の最初の１／３の期間ではＧ照明光を照射させ、２番目の１／３の期間ではＢ照明光を照射させ、３番目の１／３の期間ではＲ照明光を照射させる。さらに、更新期間２の最初の１／３の期間ではＢ照明光を照射させ、２番目の１／３の期間ではＲ照明光を照射させ、３番目の１／３の期間ではＧ照明光を照射させる。以下、この順で照明光の照射を繰り返させる。
【００３１】
このようにした場合、更新期間０の被写体は、進行方向側の縁で青みを有し、進行方向と反対側の縁で赤みを有する。また、更新期間１の被写体は、進行方向側の縁で赤みを有し、進行方向と反対側の縁で緑みを有する。さらに、更新期間２の被写体は、進行方向側の縁で緑みを有し、進行方向と反対側の縁で青みを有する。これらの３つの更新期間の時間平均で見た場合、被写体の進行方向側の縁は、青、赤、緑に変化する。結果として、被写体の進行方向側の縁は略白色に見える。同様に、被写体の進行方向と反対側の縁は、赤、緑、青に変化する。結果として、被写体の進行方向側と反対側の縁も略白色に見える。このようにして色の偏りが抑制される。
【００３２】
以上説明したように本実施形態によれば、表示画像の更新期間内に複数の異なる波長の照明光を被写体に照射する撮像モードにおいて、更新期間内に照射する照明光の照射順序を更新期間毎に異ならせるようにすることで、表示画像における色の偏りが抑制される。
【００３３】
なお、図３で示した照明光の照射順序は適宜変更され得る。しかしながら、色の偏りの抑制の観点で見れば、３つの更新期間の時間平均で見たときに、被写体の進行方向側の縁が赤青緑の３色に変化し、被写体の進行方向と反対側の縁も赤青緑の３色に変化するように照射順序が設定されることが望ましい。
【００３４】
［変形例］
以下、本実施形態の変形例を説明する。前述の例は、白色照明を用いた面順次方式の例であるが、本実施形態の技術は、白色照明を用いた面順次方式以外の、表示画像の更新期間内に異なる波長を含む複数の照明光を被写体に照射する各種の撮像モードにおいて適用され得る。
【００３５】
図４は、内視鏡装置において用いられる特殊光モードの場合の照明光の照射順序の設定例である。近年の内視鏡装置は、前述の白色光モードの他に特殊光モードを有している。特殊光は、例えば４１５ｎｍ付近と５４０ｎｍ付近にピークを有するスペクトル光であって、血管等の観察に用いられる光である。なお、白色光モードと特殊光モードとの切り替えは制御部１１２によって行われる。このモードの切り替えに伴って、制御部１１２は、撮像フレームレートの設定等を行う。
【００３６】
特殊光は、例えばＧ照明光とＢ照明光の照射によって得られる。特殊光モードは更新期間内に２種の照明光を照射する動作モードであるので、撮像フレームレートは、表示フレームレートに対して概略的に２倍に設定される。例えば、表示フレームレートが６０ｆｐｓであれば、撮像フレームレートは、概略６０×２＝１２０ｆｐｓである。
【００３７】
本変形例においても、更新期間毎で異なる色ずれが生じるように照明光の照射順序を設定する。図４の例では、更新期間０の最初の１／２の期間ではＧ照明光を照射させ、２番目の１／２の期間ではＢ照明光を照射させる。また、更新期間１の最初の１／２の期間ではＢ照明光を照射させ、２番目の１／２の期間ではＧ照明光を照射させる。以下、この順で照明光の照射を繰り返させる。
【００３８】
このようにした場合、更新期間０の被写体は、進行方向側の縁でＢ照明光の照射期間中に得られた画像データの色みを有し、進行方向と反対側の縁でＧ照明光の照射期間中に得られた画像データの色みを有する。また、更新期間１の被写体は、進行方向側の縁でＧ照明光の照射期間中に得られた画像データの色みを有し、進行方向と反対側の縁でＢ照明光の照射期間中に得られた画像データの色みを有する。これらの２つの更新期間の時間平均で見た場合、被写体の進行方向側の縁は、Ｂ照明光の照射期間中に得られた画像データの色、Ｇ照明光の照射期間中に得られた画像データの色に変化する。同様に、被写体の進行方向と反対側の縁は、Ｇ照明光の照射期間中に得られた画像データの色、Ｂ照明光の照射期間中に得られた画像データの色に変化する。このようにして色の偏りが抑制される。
【００３９】
図５は、内視鏡装置において用いられる２重露光特殊光モードの場合の照明光の照射順序の設定例である。一般に、撮像素子におけるＢ照明光の受光感度は、Ｇ照明光の受光感度に比べて低い。２重露光特殊光モードでは、Ｂ照明光の光量不足を補うため、更新期間内に複数回のＢ照明光の照射が行われる。すなわち、２重露光特殊光モードでは、３倍白色光モードの場合にはＲ照明光が照射される期間中にも、Ｂ照明光が照射される。これにより、Ｂ照明光の照射時間、すなわちＢ画像の露光時間を概略２倍にすることができる。なお、図５では、３倍色モードの場合にＢ照明光が照射される期間中に照射されるＢ照明光にはダッシュ（´）符号を付すことにより、３倍色モードの場合にＲ照明光が照射される期間中に照射されるＢ照明光と区別している。
【００４０】
本変形例においても、更新期間毎で異なる色ずれが生じるように照明光の照射順序を設定する。図５の例では、更新期間０の最初の１／３の期間ではＢ照明光を照射させ、２番目の１／３の期間ではＧ照明光を照射させ、３番目の１／３の期間ではＢ´照明光を照射させる。また、更新期間１の最初の１／３の期間ではＧ照明光を照射させ、２番目の１／３の期間ではＢ´照明光を照射させ、３番目の１／３の期間ではＢ照明光を照射させる。さらに、更新期間２の最初の１／３の期間ではＢ´照明光を照射させ、２番目の１／３の期間ではＢ照明光を照射させ、３番目の１／３の期間ではＧ照明光を照射させる。以下、この順で照明光の照射を繰り返させる。
【００４１】
このようにした場合、更新期間０の被写体は、進行方向側の縁でＢ´照明光の照射期間中に得られた画像データの色を有し、進行方向と反対側の縁でもＢ照明光の照射期間中に得られた画像データの色を有する。また、更新期間１の被写体は、進行方向側の縁でＢ照明光の照射期間中に得られた画像データの色を有し、進行方向と反対側の縁でＧ照明光の照射期間中に得られた画像データの色を有する。さらに、更新期間２の被写体は、進行方向側の縁でＧ照明光の照射期間中に得られた画像データの色を有し、進行方向と反対側の縁でＢ´照明光の照射期間中に得られた画像データの色を有する。これらの３つの更新期間の時間平均で見た場合、被写体の進行方向側の縁は、Ｂ´照明光の照射期間中に得られた画像データの色、Ｂ照明光の照射期間中に得られた画像データの色、Ｇ照明光の照射期間中に得られた画像データの色に変化する。同様に、被写体の進行方向と反対側の縁は、Ｂ照明光の照射期間中に得られた画像データの色、Ｇ照明光の照射期間中に得られた画像データの色、Ｂ´照明光の照射期間中に得られた画像データの色に変化する。このようにして色の偏りが抑制される。
【００４２】
以上説明したように、本施形態の技術は、表示画像の更新期間内に異なる波長を含む複数の照明光を被写体に照射する各種の撮像モードにおいて適用され得る。すなわち、更新期間内にｎ個の照明光を順次に照射する撮像モードにおいて、ｎ個の更新期間中に照射する照明光の照射順序の組み合わせを異ならせることにより、色の偏りを抑制することが可能である。
【００４３】
ここで、以上の実施形態による各処理は、コンピュータとしてのＣＰＵ等に実行させることができるプログラムとして記憶させておくこともできる。この他、メモリカード、磁気ディスク、光ディスク、半導体メモリ等の外部記憶装置の記憶媒体に格納して配布することができる。そして、ＣＰＵ等は、この外部記憶装置の記憶媒体に記憶されたプログラムを読み込み、この読み込んだプログラムによって動作が制御されることにより、上述した処理を実行することができる。
【００４４】
また、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【００４５】
１  撮像装置、１０２  撮像部、１０４  照明部、１０６  Ａ／Ｄ変換部、１０８  画像処理部、１１０  表示部
【図１】
0006326356.tif 000002
【図２】
0006326356.tif 000003
【図３】
0006326356.tif 000004
【図４】
0006326356.tif 000005
【図５】
0006326356.tif 000006